(57)【要約】【課題】ビス固定を必要とすることなく容易に各種の既設屋根に取り付けることができる改修用支持金具、及びそれを用いた改修構造を提供する。【解決手段】本発明は、既設屋根（４）の外側に新設屋根（６）を構築するための改修用支持金具１であって、上方に凸状で、弧状方向に長孔１１１を備えるアーチ材１１と、該アーチ材１１を上端が貫通すると共に下端が既設屋根（４）に固定されるボルト材１２と、前記ボルト材１２を貫通させてアーチ材１１を押さえる押さえ材１３と、該押さえ材１３を固定する締着ナット１４と、からなることを特徴とする。【選択図】図１
2018141274.tif 000002
【特許請求の範囲】
【請求項１】
既設屋根の外側に新設屋根を構築するための改修用支持金具であって、
上方に凸状で、弧状方向に長孔を備えるアーチ材と、該アーチ材を上端が貫通すると共に下端が既設屋根に固定されるボルト材と、前記ボルト材を貫通させてアーチ材を押さえる押さえ材と、該押さえ材を固定する締着ナットと、からなることを特徴とする改修用支持金具。
【請求項２】
請求項１に記載の改修用支持金具を、既設屋根の複数箇所に固定すると共に、取り付けた複数の改修用支持金具に架け渡すように支持部材を固定し、該支持部材に新設屋根を取り付けてなることを特徴とする改修構造。
【発明の詳細な説明】
【技術分野】
【０００１】
本発明は、ビス固定を必要とすることなく容易に各種の既設屋根に取り付けることができる改修用支持金具、及びそれを用いた改修構造に関する。
【背景技術】
【０００２】
従来、横葺き屋根の改修方法としては、既設屋根を下地から剥がして新設屋根を施工する方法と、既設屋根を剥がすことなくその上に新設屋根を施工する方法とが知られている。
前者の方法は、既設屋根を剥がす手間や時間、廃材の処理等を必要とするが、後者の方法は、それらの手間や時間、並びにその後の処理等を必要としない点で優位であり、しかも既設屋根の断熱性等をそのまま利用できるという効果もあった。
【発明の開示】
【発明が解決しようとする課題】
【０００３】
しかしながら、従来の既設屋根を剥がさない改修方法でも、既設屋根のハゼ高やハゼ形状によって改修用金具を用意しなけれればならないという問題があった。
また、改修用金具の固定方法も、ビス固定が主流であり、既設屋根におけるビス固定を行うためのタルキの位置確認など、手間がかかるものであった。
【０００４】
そこで、本発明は、ビス固定を必要とすることなく容易に各種の既設屋根に取り付けることができる改修用支持金具、及びそれを用いた改修構造を提案することを目的とする。
【課題を解決するための手段】
【０００５】
本発明は、上記に鑑み提案されたもので、既設屋根の外側に新設屋根を構築するための改修用支持金具であって、上方に凸状で、弧状方向に長孔を備えるアーチ材と、該アーチ材を上端が貫通すると共に下端が既設屋根に固定されるボルト材と、前記ボルト材を貫通させてアーチ材を押さえる押さえ材と、該押さえ材を固定する締着ナットと、からなることを特徴とする改修用支持金具に関するものである。
【０００６】
また、本発明は、前記改修用支持金具を、既設屋根の複数箇所に固定すると共に、取り付けた複数の改修用支持金具に架け渡すように支持部材を固定し、該支持部材に新設屋根を取り付けてなることを特徴とする改修構造をも提案するものである。
【発明の効果】
【０００７】
本発明の改修用支持金具は、アーチ材と、ボルト材と、押さえ材と、締着ナットとからなる４つの部材（部位）を用いて構成されるものであって、ビス固定を必要とすることなく汎用の工具類（例えばインパクトドライバー等）を用いて容易に各種の既設屋根に取り付けることができる。
【０００８】
また、本発明の改修構造は、前記改修用支持金具を用いて既設屋根に支持部材を固定し，該支持部材に新設屋根を取り付けるものであるから、新設屋根としては横葺き屋根に限定することなく縦葺き屋根でもよく、種々の屋根構造に適用することができる。
【図面の簡単な説明】
【０００９】
【図１】（ａ）本発明の第１実施例の改修用支持金具を示す側断面図、（ｂ）その平面図、（ｃ）その正面図である。
【図２】（ａ）第１実施例の改修用支持金具を既設屋根の上に取り付けた状態を示す側断面図、（ｂ）取り付けた複数の改修用支持部材に支持部材を架け渡して新設屋根を構築した状態（＝改修構造）を示す側断面図である。
【図３】別の態様の改修構造を示す側断面図である。
【発明を実施するための形態】
【００１０】
本発明の改修用支持金具は、既設屋根の外側に新設屋根を構築するための部材であって、以下の部材（部位）からなる。
アーチ材：上方に凸状で、弧状方向に長孔を備える。
ボルト材：その上端が前記アーチ材を貫通すると共に下端が既設屋根に固定される。
押さえ材：前記ボルト材を貫通させてアーチ材を押さえる。
締着ナット：前記押さえ材を固定する。
前記５つの部材（部位）について、以下に説明する。
【００１１】
前記アーチ材は、新設屋根を支持する支持部に相当する部材であって、前述のように上方に凸状の形状を有し、弧状方向（長さ方向）に長孔を備える構成である。
このアーチ材は、既設屋根の流れ方向に隣り合う横葺き屋根材に跨がるように配設するので、一方の端縁が上段側の横葺き屋根材に沿い、他方の端縁が下段側に横葺き屋根材に沿うように配設されるため、設置する屋根材を損傷することがないような端縁とすることが好ましい。
【００１２】
前記ボルト材は、その上端が前記アーチ材の長孔を貫通して新設屋根に位置すると共に下端が既設屋根に取り付け固定される。
このボルト材は、その上端に締着ナットが締着されるので、各種ボルトに限定されず、例えば丸棒や角棒等の棒状材の上端を雄ねじ加工したものでもよい。また、このボルト材の下端は、既設屋根に固定されるので、下端に既設屋根に固定可能な固定部を備えるものであって、該固定部は取り付ける既設屋根に応じてどのように形成してもよく、一体成形されたものでも別部材を一体化したものであってもよい。たとえば後述する実施例のようにＬ状の別部材からなる固定部（側方へ延在する横片）を溶接等によって一体化し、既設屋根のハゼ部に側方から差し込み固定するようにしてもよい。
【００１３】
前記押さえ材は、前記ボルト材を貫通させてアーチ材を押さえる部材（ピース材）であって、この押さえ材は弧状のアーチ材に対して平面部を有するので、該押さえ材を取り付けることにより、新設屋根を取り付ける，謂わば基準面が形成されるものであり、必ずしもこの押さえ材自体に支持部材等を取り付ける必要はなく、例えば支持部材をこの押さえ材に沿うように配設するものでもよい。言い換えると、前述のようにアーチ材が新設屋根を支持する支持部に相当する部材であるが、アーチ材は弧状であるため、支持部材を取り付ける際には点支持になるため、安定な取り付けを行うため、この押さえ材の平面部を取付基準面とする。
前述のようにこの押さえ材は、平面部を有するものであれば特にその形状等を限定するものではなく、その素材についてもまた特に限定するものではない。
【００１４】
前記締着ナットは、前記ボルト材の上端に取り付けられて前記押さえ材を固定する部材であって、例えばインパクトドライバー等の治具を用いて締め付けることにより、前記５つの部材（部位）を一体化してこの改修用支持金具を、既設屋根と新設屋根との連結部分に取り付けることができる。
【００１５】
本発明における既設屋根とは、後述する図示実施例に示すように流れ方向に横葺き屋根材を敷設してなる横葺き屋根を指すものであり、前記改修用支持金具は、流れ方向に隣り合う横葺き屋根材に跨がるように配設するものである。
即ち本発明を適用する既設屋根（横葺き屋根）としては、流れ方向に隣り合う横葺き屋根材に跨がるように配設できるものであれば、その形状等に関しては特に限定するものではなく、公知の種々の横葺き屋根構造に適用可能である。
【００１６】
また、前記改修用支持金具を用いた改修構造は、既設屋根の複数箇所に前記改修用支持金具を固定すると共に、取り付けた複数の改修用支持金具に架け渡すように支持部材を固定し、該支持部材に新設屋根を取り付けるものであって、種々の改修構造を構築することができる。
即ち本発明の改修構造としては、既設の横葺き屋根構造の上（外側）に新設の横葺き屋根構造を構築したものでも、或いは新設の縦葺き屋根構造を構築してものでも良く、新設屋根については特に限定するものではない。
【実施例１】
【００１７】
図１に示す本発明の第１実施例の改修用支持金具１は、アーチ材１１と、ボルト材１２と、押さえ材１３と、締着ナット１４とからなる４つの部材（部位）を用いて構成されるが、図中に破線で囲んだＡ〜Ｃの三箇所が、既設屋根（４）である横葺き屋根に固定する箇所を示している。
【００１８】
前記アーチ材１１は、新設屋根を支持する支持部に相当する部材であって、上方に凸状の形状を有し、弧状方向に長孔１１１を備える部材である。
図示実施例のアーチ材１１は、その幅方向、即ち長さ方向（弧状方向）と直交する方向、図１（ａ）では図面の奥行き方向、図１（ｂ），（ｃ）では図面の上下方向に、リブ加工を行うことにより、当該アーチ材１１を薄く且つ高強度に形成している。なお、このリブ加工は、中央及び両端部（谷状部分）に対して左右に所定幅の薄い隆状部分を形成する加工であって、長さ方向に上方に凸状の形状が付与される加工を施したものであって、中央の谷状部分には長孔１１１が形成されている。
【００１９】
前記ボルト材１２は、その下端部分は既設屋根に、その上端部分は新設屋根に位置する部材であって、前記アーチ材１１の長孔１１１を貫通する。図示実施例のボルト材１２は、両端に雄ネジが形成されたスタッドボルトの下端に、固定部１２ｂとしてＬ字状片が溶接等により一体的に形成されている。
前記固定部１２ｂは、既設屋根（４）のハゼ部（４２２，４３）に差し込むように固定する横片１２１が側方へ延出する構成である。
【００２０】
前記押さえ材１３１４は、前記ボルト材１１を貫通させて前記アーチ材１１を押さえる部材であって、図示実施例の押さえ材１３は、平面部１３１を有して断面が略ひ字状の成形材に形成した。この押さえ材１３自体は新設屋根の支持部材を兼ねないが、図２や図３に示すように流れ方向に連続材として配設する支持部材を該押さえ材１３に沿うように取り付けている。
この押さえ材１３の前記平面部１３１は、前述のように取付基準面を形成するものであって、該平面部１３１に沿うように支持部材を取り付ければよい。
【００２１】
前記締着ナット１４は、前記ボルト材１２の上端に取り付けられて前記押さえ材１３を固定する部材であって、例えばインパクトドライバー等の治具を用いて上方から締め付けることにより、前記４つの部材（部位）１１〜１４を一体化してこの改修用支持金具１を、既設屋根（４）と新設屋根（６）との連結部分に取り付けることができる。
【００２２】
図２に示す第１実施例の改修構造における既設屋根（４）は、ボード状下地２の表面に防水シート２ｂを介して複数の吊子３（図中、３ｂは吊子３を固定する固定具）が取り付けられ、該吊子３により複数の既設の横葺き屋根材４が取り付けられている構成であり、それぞれの横葺き屋根材４の裏面側には裏貼り材４ｂが添装されている。
前記既設屋根（４）では、流れ方向に隣り合う横葺き屋根材４，４同士が係合する構成であって、より詳細には水上側の横葺き屋根材４の水下側成形部４２と水下側の横葺き屋根板４の水上側成形部４３とが係合すると共に、下地２に固定された吊子３にて傾斜勾配を有するボード状下地２に取り付けられている。
【００２３】
前記既設屋根（４）に対し、前記構成の改修用支持金具１を取り付けた状態を図２（ａ）に示したが、前述のように破線で囲んだＡ〜Ｃの三箇所で既設屋根（４）に固定し、各改修用支持金具１の平面部１３１が図中に一点鎖線にて示す取付基準面Ｄを形成するように配設している。
【００２４】
前記改修用支持金具１の取付に際し、予め前記アーチ材１１とボルト材１２と押さえ材１３と締着ナット１４とを緩く固定（部品がバラバラにならないように一体化）しておく。この状態では、アーチ材１１の長孔１１１にボルト材１２は貫通されているが、締着ナット１４を緩く締めているに過ぎないので、ボルト材１２や押さえ材１３及び締着ナット１４は長孔１１１に沿って移動可能である。
【００２５】
まず、この改修用支持金具１の固定部１２ｂの横片１２１を、既設屋根（４）のハゼ部に差し込むように取り付け、ボルト材１２を水下側成形部４２の折り下げ片に沿わせるように配設して固定箇所Ａが形成される。
【００２６】
次に、アーチ材１１の一方（図面左方）の端部を水下側の横葺き屋根材４上に沿わせ、他方（図面右方）の端部を水上側の横葺き屋根材４上に沿わせるように配設する（載置させる）。この時点で改修用支持金具１が安定に配設される（少なくとも脱落等を生じない）のであれば、前述の既設屋根（４）のハゼ部への差し込み取付を各ハゼ部に行って、流れ方向に改修用支持金具１，１が所定箇所に点在するように配設してもよい。
【００２７】
その後、アーチ材１１の長孔１１１に貫通させているボルト材１２の頂部を把持しつつ、押さえ材１３の平面部１３１が隣り合う改修用支持金具１の平面部１３１と同一面上に位置するように調整し、その状態で締着ナット１４を強く締め付ける。この締着ナット１４の締め付けにより、押さえ材１３がアーチ材１１を上方から押さえるので、両端部が隣り合う横葺き屋根材４，４に固定されて固定箇所Ｂ，Ｃとなり、押さえ材１３の平面部１３１が取付基準面Ｄを形成する。
【００２８】
前記構成の改修用支持金具１を用いた改修構造は、例えば図２（ｂ）に示すように改修用支持金具１を既設屋根（４）に固定すると共に、取り付けた複数の改修用支持金具１，１に架け渡すように支持部材５を固定し、該支持部材５に新設屋根（６）を取り付けている構成である。
【００２９】
図示実施例の新設屋根（６）は、面板部６１の水下側（図面左側）の端縁を略鉛直状に折り下げて水下側成形部６２を形成し、その水上側（図面右側）の端縁を折り上げて水上側成形部６３を形成し、両成形部（ハゼ部）６２，６３を相互に係合するように成形した金属成形板からなる横葺き屋根材６を敷設してなり、この横葺き屋根材６の裏面側には裏貼り材６ｂが添装されている。
また、前記支持部材５は、断面が略ハット状の連続材であって、隣り合う支持部材５，５間には略同一厚みの断熱材５Ｂを配設している。前記支持部材５の上面部５１には、吊子７を固定するための切り起こし爪片５１１やスリット孔５１２等が形成され、そのフランジ状面部５２は、前記取付基準面Ｄに沿うように配設されている。
前記支持部材５の上面部５１には、吊子７が前記爪片５１１やスリット孔５１２に係止状に固定され、該吊子７にハゼ部６２，６３が保持される状態で前記横葺き屋根材６が敷設されている。
【００３０】
このように施工される改修構造において、取付基準面Ｄを形成することは重要であるが、図２（ａ）に示すように複数の改修用支持金具１を既設屋根（４）のハゼ部４２，４３により正確に固定することは、厳密にはミリ単位或いはコンマミリ単位の誤差を生じる可能性があり、アーチ材１１の両端の固定位置もミリ単位或いはコンマミリ単位の誤差を生じる可能性があるものの、このアーチ材１１自体が上方に凸状の形状を有するため、それらの誤差を、押さえ材１３の固定箇所（平面部１３１の取付傾斜角度）を調整することで容易に解消することができる。
【００３１】
図３に示す第２実施例の改修構造における既設屋根（４'）は、ボード状下地２'の表面に防水シート２ｂ'を介して前記第１実施例の支持部材５と略同様の支持材８を配し、それに跨る定着用金具８ｂ及び固定ボルト８ｃにて下地２'に固定され、該支持材８上に複数の吊子３'が取り付けられいる。前記支持材８を覆うように、且つ前記吊子３'の（上端の保持部を除いて）水上側及び水下側には、バックアップ材９，９が隙間無く敷き詰められ、連続する断熱層（９）を形成している。そして、この断熱層（９）の外側には、前記吊子３'により複数の既設の横葺き屋根材４'が取り付けられている。
前記既設屋根（４'）を形成する既設の横葺き屋根材４'については、前記第１実施例の既設の横葺き屋根材４と基本的な構成は同様であり、各部位の形状が僅かに異なるものであって、裏面側には裏貼り材４ｂ'が添装される点や、水上側の水下側成形部４２'と水下側の水上側成形部４３'とが係合する点も、下地２'に固定された吊子３'にて取り付けられる点も同様である。
【００３２】
前記第２実施例の既設屋根（４'）は、前記第１実施例の既設屋根（４）に比べて流れ方向における段差が大きく形成され、前記構成の改修用支持金具１を取り付ける施工について、僅かに配設角度を高く施工する点を除いて全く同様に行うことができ、図中に破線で囲んだＡ〜Ｃの三箇所で既設屋根（４'）に固定し、各改修用支持金具１の平面部１３１を同一線上（取付基準面）に配設する点でも全く同様である。
【００３３】
そして、前記構成の改修用支持金具１を用いた改修構造は、前記既設屋根（４'）に取り付けた複数の改修用支持金具１，１に架け渡すように支持部材５'を固定し、該支持部材５'に新設屋根（６'）を取り付けている構成である。
【００３４】
図示実施例の新設屋根（６'）は、面板部６１'の水下側（図面左側）の端縁を傾斜状に折り下げて水下側成形部６２'を形成し、その水上側（図面右側）の端縁を折り上げて水上側成形部６３'を形成し、両成形部（ハゼ部）６２'，６３'を相互に係合するように成形した金属成形板からなる横葺き屋根材６'を敷設してなり、この横葺き屋根材６'の裏面側には裏貼り材６ｂ'が添装されている。
また、前記支持部材５'は、断面が略ハット状の連続材であって、隣り合う支持部材５，５間には略同一厚みの断熱材５Ｂ'を配設している。前記支持部材５'の底面は、前記取付基準面Ｄに沿うように配設されている。
前記支持部材５'の上面部５１'には、吊子７'が固定され、該吊子７'にハゼ部６２'，６３'が保持される状態で前記横葺き屋根材６'が敷設されている。
【００３５】
このように本発明の改修用支持金具１は、ビス固定を必要とすることなく汎用の工具類（例えばインパクトドライバー等）を用いて容易に各種の既設屋根（４），（４'）に取り付けることができる。
また、前記第１実施例でも前記第２実施例でも、新設屋根（６），（６'）として、横葺き屋根構造を改修構造として示したが、それ以外の例えば縦葺き屋根構造を構築してもよい。
【符号の説明】
【００３６】
１  改修用支持金具
１１  アーチ材
１１１  長孔
１２  ボルト材
１３  押さえ材
１３１  平面部
１４  締着ナット
２  ボード状下地
３，３'  （既設の）吊子
４，４'  （既設の）横葺き屋根材
５，５'  支持部材
６，６'  （新設の）横葺き屋根材
７，７'  （新設の）吊子
８  支持材
【図１】
2018141274.tif 000003
【図２】
2018141274.tif 000004
【図３】
2018141274.tif 000005